(57)【特許請求の範囲】
【請求項１】
画像読み取り装置で読み取ったデータを転送する制御を行うデータ処理制御装置において、
前記画像読み取り装置が前記データを転送する時間と、転送された前記データを前記画像読み取り装置以外で圧縮処理する時間と、からなる第１の処理時間と、前記画像読み取り装置が前記データを圧縮処理する時間と、前記画像読み取り装置が圧縮処理されたデータを転送する時間と、からなる第２の処理時間と、に対して、どちらの処理時間が速いかをデータ処理情報にもとづいて決定する処理時間決定手段と、
前記処理時間にもとづいて、前記画像読み取り装置から転送される転送データの形式を決定する転送データ決定手段と、
前記画像読み取り装置を制御して、前記転送データ決定手段で決定された前記転送データを転送させる画像読み取り装置制御手段と、
前記画像読み取り装置から転送された前記転送データを受信する転送データ受信手段と、
を有することを特徴とするデータ処理制御装置。
【請求項２】
前記処理時間決定手段は、前記第２の処理時間が前記第１の処理時間よりも短くなる条件を前記データ処理情報に登録することを特徴とする請求項１記載のデータ処理制御装置。
【請求項３】
画像読み取り装置で読み取ったデータを転送する制御を行うデータ処理制御方法において、
前記画像読み取り装置が前記データを転送する時間と、転送された前記データを前記画像読み取り装置以外で圧縮処理する時間と、からなる第１の処理時間と、前記画像読み取り装置が前記データを圧縮処理する時間と、前記画像読み取り装置が圧縮処理されたデータを転送する時間と、からなる第２の処理時間と、に対して、どちらの処理時間が速いかをデータ処理情報にもとづいて決定し、
前記処理時間にもとづいて、前記画像読み取り装置から転送される転送データの形式を決定し、
前記画像読み取り装置を制御して、決定された前記転送データを転送させ、
前記画像読み取り装置から転送された前記転送データを受信することを特徴とするデータ処理制御方法。
【発明の詳細な説明】
【０００１】
【発明の属する技術分野】
本発明はデータ処理制御装置及びデータ処理制御方法に関し、特にデータ処理効率の向上を図ったデータ処理制御装置及びデータ処理効率の向上を図ったデータ処理制御方法に関する。
【０００２】
【従来の技術】
スキャナは写真や絵などの画像データを読み取ってディジタルデータに変換する装置である。スキャナで読み込まれた写真や絵は、ファイルとして格納された後、パソコン等でグラフィックス・ソフト等を用いて加工処理される。
【０００３】
このような業務の流れに対して、スキャナからパソコンへデータを転送する際の処理時間は重要であり、できる限り高速で入手できることが望ましい。
一方、スキャナからパソコンへ転送されるデータの形式としては、ローラスター（Raw Raster) データ形式や圧縮データ形式などがある。ローラスターデータは、スキャナから読み取られた走査直後のデータである。
【０００４】
圧縮データは、例えばＭＭＲ（Modified Modified READ code)圧縮データなどで、これはスキャナから読み取った後に２次元符号化を行って圧縮したデータである。
【０００５】
ここで、データを転送する際には、いずれかのデータ形式をユーザが任意に指定できる場合であっても、どちらが高速であるかは明確ではないので、ユーザの混乱を招くといった場合があった。
【０００６】
画像データ転送の高速化に関する従来技術としては、例えば特開平６−２９２０２４号公報では、画像データを転送する前に画像データを圧縮し、圧縮後のデータサイズと元の画像データのサイズとを比較し、比較結果により他の圧縮方法に切り替えて転送時間を短縮化している。
【０００７】
また、特開平７−２９８０７１号公報では、画像データの転送データの圧縮タイプをオペレータに指定させるファクシミリが開示されている。
【０００８】
【発明が解決しようとする課題】
しかし、上記で説明した特開平６−２９２０２４号公報に記載の従来技術では、画像データ圧縮後のサイズを比較してから圧縮方法を決定して、プリンタ等の画像出力装置へ転送するといった画像出力に対する構成であるために、画像入力時には応用できないといった問題があった。
【０００９】
また、特開平７−２９８０７１号公報に記載の従来技術では、オペレータが転送先の圧縮タイプを知っていて、なおかつ最適な圧縮タイプを知っていることを前提としているため、一般のユーザが操作するには不便であるといった問題があった。
【００１０】
本発明はこのような点に鑑みてなされたものであり、画像入力時のデータ処理効率を向上させたデータ処理制御装置を提供することを目的とする。
また、本発明の他の目的は、画像入力時のデータ処理効率を向上させたデータ処理制御方法を提供することである。
【００１１】
【課題を解決するための手段】
本発明では上記課題を解決するために、画像読み取り装置で読み取ったデータを転送する制御を行うデータ処理制御装置において、前記画像読み取り装置が前記データを転送する時間と、転送された前記データを前記画像読み取り装置以外で圧縮処理する時間と、からなる第１の処理時間と、前記画像読み取り装置が前記データを圧縮処理する時間と、前記画像読み取り装置が圧縮処理されたデータを転送する時間と、からなる第２の処理時間と、に対して、どちらの処理時間が速いかをデータ処理情報にもとづいて決定する処理時間決定手段と、前記処理時間にもとづいて、前記画像読み取り装置から転送される転送データの形式を決定する転送データ決定手段と、前記画像読み取り装置を制御して、前記転送データ決定手段で決定された前記転送データを転送させる画像読み取り装置制御手段と、前記画像読み取り装置から転送された前記転送データを受信する転送データ受信手段と、を有することを特徴とするデータ処理制御装置を提供する。
【００１２】
ここで、処理時間決定手段は、画像読み取り装置がデータを転送する時間と、転送されたデータを画像読み取り装置以外で圧縮処理する時間と、からなる第１の処理時間と、画像読み取り装置がデータを読み取る時間と、画像読み取り装置がデータを圧縮処理する時間と、画像読み取り装置が圧縮処理されたデータを転送する時間と、からなる第２の処理時間と、に対して、どちらの処理時間が速いかをデータ処理情報にもとづいて決定する。転送データ決定手段は、処理時間にもとづいて、画像読み取り装置から転送される転送データの形式を決定する。画像読み取り装置制御手段は、画像読み取り装置を制御して、転送データ決定手段で決定された転送データを転送させる。転送データ受信手段は、画像読み取り装置から転送された転送データを受信する。
【００１３】
また、画像読み取り装置で読み取ったデータを転送する制御を行うデータ処理制御方法において、前記画像読み取り装置が前記データを転送する時間と、転送された前記データを前記画像読み取り装置以外で圧縮処理する時間と、からなる第１の処理時間と、前記画像読み取り装置が前記データを圧縮処理する時間と、前記画像読み取り装置が圧縮処理されたデータを転送する時間と、からなる第２の処理時間と、に対して、どちらの処理時間が速いかをデータ処理情報にもとづいて決定し、前記処理時間にもとづいて、前記画像読み取り装置から転送される転送データの形式を決定し、前記画像読み取り装置を制御して、決定された前記転送データを転送させ、前記画像読み取り装置から転送された前記転送データを受信することを特徴とするデータ処理制御方法を提供する。
【００１４】
ここで、第１の処理時間または第２の処理時間のどちらが速いかをデータ転送情報にもとづいて決定する。そして、処理時間の速い方のデータを転送するように画像読み取り装置を制御する。
【００１５】
【発明の実施の形態】
以下、本発明の実施の形態を図面を参照して説明する。図１は本発明のデータ処理制御装置１０の原理図である。データ処理制御装置１０はデータ処理効率の向上を図ったデータ転送を実行する。
【００１６】
処理時間決定手段１１は、画像読み取り装置２０がデータを読み取る時間と、画像読み取り装置２０がデータを転送する時間と、転送されたデータを画像読み取り装置２０以外で（すなわち、データ処理制御装置１０内部で）圧縮処理する時間と、からなる第１の処理時間と、画像読み取り装置２０がデータを読み取る時間と、画像読み取り装置２０がデータを圧縮処理する時間と、画像読み取り装置２０が圧縮処理されたデータを転送する時間と、からなる第２の処理時間と、に対して、どちらの処理時間が速いかをデータ処理情報１１−１にもとづいて決定する。
【００１７】
転送データ決定手段１２は、処理時間にもとづいて、画像読み取り装置２０から転送される転送データの形式を決定する。
画像読み取り装置制御手段１３は、画像読み取り装置２０を制御して、転送データ決定手段１２で決定された転送データを転送させる。
【００１８】
転送データ受信手段１４は、画像読み取り装置２０から転送された転送データを受信する。
次に動作を説明する。図２は本発明のデータ処理制御装置１０の動作手順を示すフローチャートである。
〔Ｓ１〕処理時間決定手段１１は、第１の処理時間と第２の処理時間のどちらが速いかをデータ処理情報１１−１にもとづいて決定する。
〔Ｓ２〕転送データ決定手段１２は、処理時間決定手段１１で決定された処理時間にもとづいて、画像読み取り装置２０から転送される転送データの形式を決定する。
〔Ｓ３〕画像読み取り装置制御手段１３は、画像読み取り装置２０を制御して、転送データ決定手段１２で決定された転送データを転送させる。
〔Ｓ４〕転送データ受信手段１３は、画像読み取り装置２０から転送された転送データを受信する。
【００１９】
次にデータ処理制御装置１０の具体的な構成及び動作について説明する。図３はデータ処理制御装置１０の詳細構成を示す図である。なお、以降の説明では、画像読み取り装置２０はスキャナ２０、スキャナ２０で読み取られた非圧縮データをローラスターデータ２１、圧縮されたデータをＭＭＲデータ２２とする。
【００２０】
操作指示入出力手段１８は、キーボード１０ａからの操作指示入力やＣＲＴ１０ｂへの操作画面の表示を行う。
処理時間決定手段１１は、第１の処理時間と第２の処理時間のどちらが速いかをデータ処理情報１１−１にもとづいて決定する。第１の処理時間、第２の処理時間については後述する。
【００２１】
転送データ決定手段１２は、この処理時間にもとづいて、スキャナ２０で走査処理されたローラスターデータ２１またはローラスターデータ２１を圧縮したＭＭＲデータ２２のどちらを転送させるかを決定する。
【００２２】
スキャナデバイス制御手段１３は、転送データ決定手段１２で決定されたローラスターデータ２１またはＭＭＲデータ２２のいずれかをスキャナ２０を制御して出力させる。
【００２３】
転送データ受信手段１４は、スキャナ２０から出力されたローラスターデータ２１またはＭＭＲデータ２２のいずれかを受信する
データ圧縮手段１５は受信した転送データがローラスターデータ２１の場合には、ローラスターデータ２１を圧縮してＭＭＲデータ２２を作成する。
【００２４】
ファイル作成手段１６は、受信した転送データから画像ファイルを作成する。そして、ファイル登録手段１７は画像ファイルをデータベース１０ｃへ登録する。
【００２５】
次に動作について説明する。図４はデータ処理制御装置１０の全体動作手順を示すフローチャートである。
〔Ｓ１０〕ユーザはＣＲＴ１０ｂでメニューを目視確認し、キーボード１０ａやマウス等から操作指示を入力する。ユーザからの指示は操作指示入出力手段１８が受け付け、指示内容に応じてメニューの内容を更新する。
【００２６】
また、ユーザはスキャナ２０が原稿を読み取る際に必要な読み取り属性のパラメータを指定する。このパラメータには読み取り解像度、読み取り原稿サイズ、読み取り画像タイプなどがある。
【００２７】
読み取り解像度とは、スキャナ２０が原稿を読み取る際の解像度のことである。読み取り原稿サイズとは、スキャナ２０が読み取る原稿がＡ４なのかＢ４なのかといった原稿サイズのことである。読み取り画像タイプとは、スキャナ２０が読み取る原稿が文字なのか写真なのかといった画像タイプのことである。
【００２８】
なお、読み取った原稿をスキャナ２０からデータ処理制御装置１０まで転送する際の転送データタイプ（ローラスターデータ２１あるいはＭＭＲデータ２２）は、ユーザは指定しなくてもよい。
〔Ｓ１１〕ファイル作成手段１６は、操作指示入出力手段１８から読み取りの指示を受けると、読み取り指示時の読み取り属性のパラメータを確認する。そして、転送データタイプが指定されていない場合には、処理時間決定手段１１にどちらの転送データの処理時間が速いかを決定させる指示を送る。
〔Ｓ１２〕処理時間決定手段１１は、読み取り属性のパラメータと、スキャナ２０の機種タイプを参照し、処理時間の速さを求める。そして、転送データ決定手段１２は、処理時間の速い方の転送データとして、ローラスターデータ２１にするのか、あるいはＭＭＲデータ２２にするのかを決定する。
〔Ｓ１３〕スキャナデバイス制御手段１３は、ファイル作成手段１６からの指示にもとづきスキャナ２０を制御する。
〔Ｓ１４〕転送データ受信手段１４は、スキャナ２０からの転送データを受信する。
〔Ｓ１５〕ファイル作成手段１６は、スキャナ２０から受信した転送データがローラスターデータ２１か、ＭＭＲデータ２２なのかを判断する。ローラスターデータ２１の場合はステップＳ１６へ、ＭＭＲデータ２２の場合はステップＳ１７へ行く。
〔Ｓ１６〕データ圧縮手段１５はローラスターデータ２１をＭＭＲデータ２２に圧縮する。
〔Ｓ１７〕ファイル作成手段１６は、ＴＩＦＦファイル等の画像ファイルを作成する。
〔Ｓ１８〕ファイル登録手段１７は、作成した画像ファイルをデータベース１０ｃに登録する。
【００２９】
次にファイル作成手段１６について説明する。図５はファイル作成手段１６の動作手順を示すフローチャートである。
〔Ｓ２０〕操作指示入出力手段１８からの読み取り属性のパラメータを待つ。
〔Ｓ２１〕読み取り属性に転送データタイプがあるかどうかを判断する。あればステップＳ２４へ、なければステップＳ２２へ行く。
〔Ｓ２２〕処理時間決定手段１１に処理時間を算出させる。
〔Ｓ２３〕転送データ決定手段１２は、処理時間にもとづいて決定された転送データタイプの通知を受けて、読み取り解像度、読み取り原稿サイズ、読み取り画像タイプ、転送データタイプ、のパラメータからなる読み取り属性を生成する。
〔Ｓ２４〕スキャナデバイス制御手段１３へ読み取り開始の指示を出す。
〔Ｓ２５〕受信した転送データタイプがＭＭＲデータ２２かどうかを判断する。ＭＭＲデータ２２の場合はステップＳ２６へ、ローラスターデータ２１の場合はステップＳ２７へ行く。
〔Ｓ２６〕ＭＭＲデータ２２を入手する。
〔Ｓ２７〕データ圧縮手段１５へローラスターデータ２１のＭＭＲ圧縮を依頼する。
〔Ｓ２８〕ＭＭＲデータ２２をＴＩＦＦファイルフォーマットに加工する。
〔Ｓ２９〕ファイル登録手段１７にＴＩＦＦファイルの登録指示を出す。
【００３０】
次に処理時間決定手段１１が含むデータ処理情報１１−１について説明する。図６、図７はＭＭＲ有効属性テ−ブルである。ＭＭＲ有効属性テ−ブルは、処理時間決定手段１１がデータ処理情報１１−１として管理保存しているものである。また、図６のＭＭＲ有効属性テ−ブル１１−１ａは、処理速度が遅いデータ処理制御装置１０が有する場合で、図７のＭＭＲ有効属性テ−ブル１１−１ｂは、処理速度が速いデータ処理制御装置１０が有する場合である。
【００３１】
また処理時間決定手段１１は、スキャナ２０が走査する時間Ａ、スキャナ２０がＭＭＲ圧縮する時間Ｂ、スキャナ２０からデータ処理制御装置１０間の通信時間Ｃ、データ処理制御装置１０がＭＭＲ圧縮する時間Ｄ、に対して次式で処理時間を算出する。
【００３２】
【数１】
第２の処理時間＝（Ａ＋Ｂ＋Ｃ）＜（Ａ＋Ｃ＋Ｄ）＝第１の処理時間…（１）
そして、式（１）を満たす項目をＭＭＲ有効属性テ−ブルに登録する。ＭＭＲ有効属性テ−ブル１１−１ａは、項目としてスキャナタイプ１１ａ、ＭＭＲ有効解像度１１ｂ、ＭＭＲ有効原稿サイズ１１ｃ及びＭＭＲ有効画像タイプ１１ｄがある。
【００３３】
スキャナタイプ１１ａはスキャナの機種のタイプである。ＭＭＲ有効解像度１１ｂはスキャナがＭＭＲ圧縮する際の解像度を示す。ＭＭＲ有効原稿サイズ１１ｃはスキャナがＭＭＲ圧縮する際の原稿のサイズを示す。ＭＭＲ有効画像タイプ１１ｄはスキャナがＭＭＲ圧縮する際の画像タイプを示す。
【００３４】
ここで、スキャナ２０での走査時に、ＭＭＲ有効属性テ−ブル１１−１ａの各行の項目がすべて一致した場合には、転送データ決定手段１２は転送データタイプとしてローラスターデータ２１ではなく、ＭＭＲデータ２２と決定する。
【００３５】
例えば、スキャナタイプ１１ａがタイプＡ、ＭＭＲ有効解像度１１ｂが４００、ＭＭＲ有効原稿サイズ１１ｃがＡ４、ＭＭＲ有効画像タイプ１１ｄが文字、といった４つの条件が揃った場合には、転送データをＭＭＲデータ２２と決定する。なお、ＭＭＲ有効属性テ−ブル１１−１ｂの場合も同様なので説明は省略する。
【００３６】
また、処理時間決定手段１１は、データ処理制御装置１０の演算処理能力、またはデータ処理制御装置１０が持つデータベース１０ｃやメモリ容量などのような記憶領域、をデータ処理情報１１−１に加えてもよい。
【００３７】
次に転送データ決定手段１２の動作について説明する。図８は転送データ決定手段１２の動作手順を示すフローチャートである。
〔Ｓ３０〕転送データタイプをローラスターデータ２１に仮決定する。
〔Ｓ３１〕すべてのＭＭＲ有効属性条件に関してステップＳ３２からステップＳ３５までの手順を繰り返す。
〔Ｓ３２〕指定解像度はＭＭＲ有効解像度１１ｂかどうかを判断する。ＭＭＲ有効解像度１１ｂの場合はステップＳ３３へ、そうでなければステップＳ３６へ行く。
〔Ｓ３３〕指定原稿サイズはＭＭＲ有効原稿サイズ１１ｃかどうかを判断する。ＭＭＲ有効原稿サイズ１１ｃの場合はステップＳ３４へ、そうでなければステップＳ３６へ行く。
〔Ｓ３４〕指定画像タイプはＭＭＲ有効画像タイプ１１ｄかどうかを判断する。ＭＭＲ有効画像タイプ１１ｄの場合はステップＳ３５へ、そうでなければステップＳ３６へ行く。
〔Ｓ３５〕転送データタイプをＭＭＲデータ２２に決定する。
〔Ｓ３６〕ＭＭＲ有効属性テ−ブルの次の行に移り、ステップＳ３２からステップＳ３５までの手順を繰り返す。
【００３８】
次に処理時間について説明する。図９、図１０は処理時間を示す図である。図９はスキャナ２０の圧縮処理時間が、データ処理制御装置１０が含むデータ圧縮手段１５の圧縮処理時間よりも遅い場合である。図１０はスキャナ２０からデータ処理制御装置１０間の通信時間に対し、ＭＭＲデータ２２の場合の通信時間よりもローラスターデータ２１の場合の通信時間の方が遅い場合である。
【００３９】
スキャナ２０で圧縮した際の処理時間テ−ブル１ａは、スキャナ２０が走査する走査時間１ａ−１、スキャナ２０がＭＭＲ圧縮する圧縮時間１ａ−２、スキャナ２０からデータ処理制御装置１０間の通信時間１ａ−３からなる。
【００４０】
データ処理制御装置１０で圧縮した際の処理時間テ−ブル２ａは、スキャナ２０が走査する走査時間２ａ−１、スキャナ２０からデータ処理制御装置１０間の通信時間２ａ−３、データ処理制御装置１０がＭＭＲ圧縮する圧縮時間２ａ−２、からなる。
【００４１】
ここでは、スキャナ２０の圧縮処理時間１ａ−２がデータ処理制御装置１０のデータ圧縮手段１５の圧縮処理時間２ａ−２よりも遅い場合である。すなわち、スキャナ２０で圧縮した際の処理時間ｔ０よりもデータ処理制御装置１０で圧縮した際の処理時間ｔ１の方が速くなる。したがって、この場合はスキャナ２０から転送される転送データはローラスターデータ２１となる。
【００４２】
また、スキャナ２０で圧縮した際の処理時間テ−ブル１ｂは、スキャナ２０が走査する走査時間１ｂ−１、スキャナ２０がＭＭＲ圧縮する圧縮時間１ｂ−２、スキャナ２０からデータ処理制御装置１０間の通信時間１ｂ−３からなる。
【００４３】
データ処理制御装置１０で圧縮した際の処理時間テ−ブル２ｂは、スキャナ２０が走査する走査時間２ｂ−１、スキャナ２０からデータ処理制御装置１０間の通信時間２ｂ−３、データ処理制御装置１０がＭＭＲ圧縮する圧縮時間２ｂ−２、からなる。
【００４４】
ここでは、スキャナ２０からデータ処理制御装置１０間のＭＭＲデータ２２の場合の通信時間１ｂ−３に対し、ＭＭＲデータ２２の場合の通信時間よりもローラスターデータ２１の場合の通信時間２ｂ−３の方が遅い場合である。すなわち、スキャナ２０で圧縮した際の処理時間ｔ２よりもデータ処理制御装置１０で圧縮した際の処理時間ｔ３の方が遅くなる。したがって、この場合はスキャナ２０から転送される転送データはＭＭＲデータ２２となる。
【００４５】
以上説明したように、本発明のデータ処理制御装置１０は、スキャナ２０からローラスターデータ２１またはＭＭＲデータ２２を転送する際に、どちらの処理時間が速いのかをデータ処理情報１１−１にもとづいて決定し、処理時間の速いデータをスキャナ２０から出力させる構成としたので、データ処理効率を向上させることが可能になる。また、どちらのデータが高速であるかが明確となるので、操作性を向上させることが可能になる。
【００４６】
なお、上記の説明では、あらかじめ標準の文字原稿、写真原稿、文字、写真混合原稿をもとに平均処理時間を計測し、ＭＭＲ有効属性テ−ブルを作成したが、処理速度やスキャナタイプなどから動的に算出してもよい。
【００４７】
また、スキャナ２０が圧縮機能を利用できる条件が読み取り属性に依存する場合は、利用可能条件をＭＭＲ有効属性として登録しておくことで、容易に本発明を適用できる。
【００４８】
次に本発明のデータ処理制御方法について説明する。図１１は本発明のデータ処理制御方法の処理手順を示すフローチャートである。
〔Ｓ４０〕画像読み取り装置がデータを読み取る時間と、画像読み取り装置がデータを転送する時間と、転送されたデータを画像読み取り装置以外で圧縮処理する時間と、からなる第１の処理時間と、画像読み取り装置がデータを読み取る時間と、画像読み取り装置がデータを圧縮処理する時間と、画像読み取り装置が圧縮処理されたデータを転送する時間と、からなる第２の処理時間と、に対して、どちらの処理時間が速いかをデータ処理情報にもとづいて決定する。
〔Ｓ４１〕ステップＳ４０の処理時間にもとづいて、画像読み取り装置から転送される転送データの形式を決定する。
〔Ｓ４２〕画像読み取り装置を制御して、決定された転送データを転送させる。〔Ｓ４３〕画像読み取り装置から転送された転送データを受信する。
【００４９】
以上説明したように、本発明のデータ処理制御方法は、処理時間の速いデータを画像読み取り装置から転送させるものとした。これにより画像読み取り装置からデータを高速に入手できるので、データ処理効率を向上させることが可能になる。
【００５０】
【発明の効果】
以上説明したように、本発明のデータ処理制御装置は、処理時間の速いデータを画像読み取り装置から転送させる構成とした。これにより画像読み取り装置からデータを高速に入手できるので、データ処理効率を向上させることが可能になる。
【００５１】
また、本発明のデータ処理制御方法は、処理時間の速いデータを画像読み取り装置から転送させるものとした。これにより画像読み取り装置からデータを高速に入手できるので、データ処理効率を向上させることが可能になる。
【図面の簡単な説明】
【図１】本発明のデータ処理制御装置の原理図である。
【図２】本発明のデータ処理制御装置の動作手順を示すフローチャートである。
【図３】データ処理制御装置の詳細構成を示す図である。
【図４】データ処理制御装置の全体動作手順を示すフローチャートである。
【図５】ファイル作成手段の動作手順を示すフローチャートである。
【図６】ＭＭＲ有効属性テ−ブルである。
【図７】ＭＭＲ有効属性テ−ブルである。
【図８】転送データ決定手段の動作手順を示すフローチャートである。
【図９】処理時間を示す図である。
【図１０】処理時間を示す図である。
【図１１】本発明のデータ処理制御方法の処理手順を示すフローチャートである。
【符号の説明】
１０  データ処理制御装置
１１  処理時間決定手段
１１−１  データ処理情報
１２  転送データ決定手段
１３  画像読み取り装置制御手段
１４  転送データ受信手段
２０  画像読み取り装置
【図１】
0003646488.tif 000002
【図２】
0003646488.tif 000003
【図３】
0003646488.tif 000004
【図４】
0003646488.tif 000005
【図５】
0003646488.tif 000006
【図６】
0003646488.tif 000007
【図７】
0003646488.tif 000008
【図８】
0003646488.tif 000009
【図９】
0003646488.tif 000010
【図１０】
0003646488.tif 000011
【図１１】
0003646488.tif 000012